(57)【特許請求の範囲】
【請求項１】
注出器と容器からなる液体注出容器の詰め替え容器であって、該詰め替え容器は、紙を主体とする積層材からなる胴部とプラスチック成形品からなる注出口部からなる自立容器であり、該注出口部は前記注出器と嵌合して内容物を密封できる構造であり、且つ、該注出口部は、外周にネジが形成された頸部と、該頸部の下に連続する円錐台状の肩部と、該肩部の下に連続する円形の肩部平坦部と、該肩部平坦部外周に連続して垂下する円筒状のシール部とで形成され、該胴部は、下部が角形にヒートシールして形成された底部を有する角筒状に形成され、上部が円筒状に形成されると共に、該胴部の上部を前記注出口部の下部の円筒状のシール部の外側に差し込んでヒートシールにより一体化してなることを特徴とする液体注出容器用詰め替え容器。
【発明の詳細な説明】
【０００１】
【発明の属する技術分野】
本発明は、シャンプー、ボディシャンプー、リンス、液体洗剤、化粧用クリーム等の粘稠又はペースト状の液状物を注出器と容器からなる液体注出容器に入れて使用する場合、内容物を消費後に、内容物の詰め替えを行うとき、内容物の詰め替えを容易にするために、補充用の詰め替え容器を改良したものである。
【０００２】
【従来の技術】
従来、シャンプー、ボディシャンプー、リンス、液体洗剤、化粧用クリーム等の粘稠又はペースト状の液状物を注出口付き容器に入れて使用する場合、内容物がなくなると、殆どの場合、容器はそのまま廃棄されているのが現状である。
【０００３】
また、上記使い捨て容器による廃棄物公害や経済的デメリットを解消するために、一部に、内容物を詰め替え用の袋に入れた別売り製品が供給されている。
前記別売り製品は、スタンディングパウチ（底ガセットの自立袋）やピロー包装されたものが殆どで、詰め替え時は包装袋の一部を鋏みで切り取るか、又は包装袋に設けられたＶノッチ等を利用して開封し、空になった容器に移し替えることが行われていた。
しかし、容器の口径が小さいため、包装袋から容器への移し替えは煩雑で、詰め替え時に、内容物を容器の外にこぼしたり、又、内容物が粘稠なため、内容物を包装袋から十分に流出させることができず、包装袋に内容物が残り過ぎる等の問題があった。
【０００４】
【発明が解決しようとする課題】
使い捨て容器は、ゴミとして焼却又は埋め立て処理されるが、プラスチックは焼却処理する場合は発熱カロリーが高すぎて焼却炉を傷めたり、埋め立て処分する場合も、単位重量当たりの容積比が高い上、何時までも腐敗しないで残るため、埋め立て後の地盤を弱くして跡地利用を困難にする等の問題がある。
また、使用後放置された場合、地上に散乱して、周辺の環境を損なう場合があり、環境保護の点でも大きな問題となっている。
また、従来の詰め替え用包装袋の場合、詰め替え時に、内容物を容器の外にこぼしたり、又、内容物が粘稠なため、内容物を絞り出すのに手が汚れたりする問題があった。
【０００５】
本発明は、以上の問題点を解消するために、前記液体注出容器は内容物が消費された後も、注出器は廃棄せずに繰り返し使用し、内容物の詰め替えは、内容物の入った詰め替え容器の交換により行うものである。
また、詰め替え用容器に紙容器を使用するこにより、廃棄処理を容易にしたもである。
更に、本発明は、内容物の詰め替えをカートリッジの交換により行うので、袋からの詰め替えのように、内容物をこぼしたり、手を汚すこともなく、短時間で簡単に詰め替えを行うことができる。
【０００６】
【課題を解決するための手段】
本発明は、上記課題を解決するために、種々検討した結果、液体注出容器の詰め替え容器を以下のようにした。
注出器と容器からなる液体注出容器の詰め替え容器であって、該詰め替え容器は、紙を主体とする積層材からなる胴部とプラスチック成形品からなる注出口部からなる自立容器であり、該注出口部は前記注出器と嵌合して内容物を密封できる構造であり、且つ、該注出口部は、外周にネジが形成された頸部と、該頸部の下に連続する円錐台状の肩部と、該肩部の下に連続する円形の肩部平坦部と、該肩部平坦部外周に連続して垂下する円筒状のシール部とで形成され、該胴部は、下部が角形にヒートシールして形成された底部を有する角筒状に形成され、上部が円筒状に形成されると共に、該胴部の上部を前記注出口部の下部の円筒状のシール部の外側に差し込んでヒートシールにより一体化してなることを特徴とする液体注出容器用詰め替え容器とした。
【０００７】
即ち、液体注出容器の注出器は繰り返し使用し、内容物の詰め替えは、内容物の入った詰め替え容器を交換することにより行うものである。
そのため、詰め替え用のカートリッジは、注出口部は注出容器と適合し、内容物を密封できる形状とし、注出器と簡単にセットできるような構造にした。
また、プラスチックの廃棄処理問題を解消するために、詰め替え用のカートリッジは、紙容器を使用し廃棄処理を容易にした。
【０００８】
【発明の実施の形態】
以下、図面を参照にしながら本発明を詳細に説明する。
図１は本発明の詰め替え容器を用いて、液体注出容器を組み立てるときの説明図である。
図２は液体注出容器及びそれに使用する詰め替え容器の斜視図である。
図３は液体注出容器の容器及び注出器の主要部を示す断面図である。
図４は詰め替え容器の注出口部の形状を示した模式断面図である。
【０００９】
本発明は、図２に示すように、液体注出容器１用の詰め替え容器に関するものであり、その液体注出容器１は、図１に示すように、注出器３及び容器２から構成される。
尚、注出器３は、図１に示すように、押し下げヘッド８、肩部４及び吸い上げ管６からなる公知のものと同じ構造のものを使用した。
そして、注出器３と容器２とはネジ締めして密閉するために、図３に示すように、注出器３の肩部４の内側の首部に相当する部分にネジ５（注出器ネジ）を形成した。
【００１０】
注出器３と容器２を用いて、液体注出容器を組み立てるには、図１に示すように、内容物の入った容器２の注出口部１２に形成された頸部１３に、注出器３の吸い上げ管６を挿入し、図３に示すように、注出器ネジ５と容器ネジ１４をネジ締めして、注出器３と容器２を一体化すると共に、内容物を密封する。
以上のようにして組み立てられた液体注出容器１は、押し下げヘッド７を押し下げることにより、内容物は一定量排出される。
【００１１】
液体注出容器１を構成する注出器３は、通常、プラスチックを用いて射出成形により作製される。注出器３は、繰り返し使用されるため、耐久性、耐衝撃性、耐水性などが必要であり、材質としては、ポリプロピレン、ポリエチレン、ポリスチレン、ポリカーボネート、アクリル、ＡＢＳ等が使用される。
また、注出器３は公知技術を利用して各部品を射出成形により作製し、これらの部品を組み合わせて注出器３を構成する。
【００１２】
本発明の液体注出容器用の詰め替え容器２は、図１に示すように、容器胴部１１と容器注出口部１２から構成されており、注出口部１２の頸部１３の外側にはネジ１４（容器ネジ）が形成されており、注出器３とはネジ締めによって一体化して、内容物を密封できるようになっている。
尚、注出口部１２は、図４に示すように、ネジを形成した頸部１３、容器肩部１５、肩部平坦部１５ａ、シール部１６を含み、容器の上部全体を示すものとする。
【００１３】
詰め替え容器２は、前述のように、胴部１１と注出口部１２から構成されるが、胴部１１は紙を主体とする積層材から作製され、容器の注出口部１２はプラスチックの射出成形によって作製される。
容器の注出口部１２は、図４に示すように、頸部１３と容器肩部１５（肩部平坦部１５ａを含め）からなり、頸部１３にはネジ１４が形成されており、又、容器肩部の下部には、胴部とヒートシールするために円筒状のシール部１６が形成されている。
【００１４】
一般的に、胴部は紙を主体とする積層材から構成されており、内面にはヒートシール性を有するポリエチレン（ＰＥ）やポリプロピレン（ＰＰ）が使用されているので、容器注出口部１２の材質としてはＰＥやＰＰが多くが使用される。
しかし、容器注出口部の材質として、ＰＥやＰＰ以外の材質でも、成形後シール部１６に接着剤を塗布することにより胴部とのシール性を付与することができるので、射出成形可能な材質であれば使用可能である。
【００１５】
胴部は紙を主体とする積層材からなり、図１及び図３に示すように、底部は角形で、上部は円形をしており、その上部に前記容器注出口部１２がヒートシールされている。
胴部積層材としては、通常、ＰＥ／紙／ＰＥ、ＰＥ／紙／ＰＥ／アルミ／ＰＥ等の積層材が使用されており、公知の方法によって紙容器を形成し、容器底部は、従来の液体紙容器と同様に、ヒートシールによって密封される。
【００１６】
本発明の詰め替え容器は、図２に示すように、内容物充填後、キャップ１７をしてユーザーに供給される。
キャップ１７は、図１に示すように、内部にネジを形成したスクリューキャップを使用し、更に、内容物のもれを防止するために、パッキン１８をキャップ１７内に挿入し、キャップ１７と容器２をネジ締めしたとき、密封できるようにした。
そして、詰め替え容器２の注出口部１２のネジ山は、注出器３のネジに適合するように形成し、詰め替え時は、注出器３を交換した新しい容器に挿入し、ネジ締めするだけで再度液体注出容器として使用できるようにした。
【００１７】
液体注出容器の内容物が消費されて無くなったときは、先ず、注出器３と容器２のネジを弛めて、注出器３を取り外し、次に、新しい詰め替え容器２のキャップ１７を取り除き、この容器２に注出器３の吸い上げ管６を挿入して、注出器３と容器２をセットにし、更に、注出器３と容器２をネジ締めして一体化し、容器２に入っている内容物を密封する。
これで、内容物の詰め替えは終了し、注出器３の押し下げヘッド８を押すことによって、内容物を一定量排出することができる。
【００１８】
以上のように、内容物の詰め替えは、新しい詰め替え容器２に、内容物の無くなった容器から、注出器３を移し替えるだけで作業が終了するので、内容物をこぼすことなく、又手を汚すこともなく極めて簡単に行うことができる。
更に、詰め替え容器は、紙を主体とした積層材で作製され、プラスチックは注出口部だけで非常に少なくなっているので、プラスチック製容器に比べて廃棄物公害の問題も少なく、易廃棄性容器として使用することができる。
【００１９】
【実施例】
以下、実施例に基づいて、図面を参照にして本発明を詳しく説明する。
（実施例１）
図１に示すように、詰め替え容器２は、注出器３とセットにして液体注出容器として使用するものである。
その液体注出容器を構成する注出器３は、公知技術を利用して各部品をＰＰの射出成形により作製し、これらの部品を組み合わせて注出器３を構成した。
次に、坪量２８０ｇ／ｍ2 のカップ原紙の両側にポリエチレン（ＰＥ）をラミネートして、ＰＥ 30 μｍ／紙 280ｇ／ｍ2 ／ＰＥ 30 μｍの積層材を作製し、この積層材を用いて、上部は直径８０ｍｍの円形とし、底部は８０ｍｍ×８０ｍｍの角形にし、高さ９０ｍｍの詰め替え容器２の胴部１１を作製した。
【００２０】
また、詰め替え容器２の注出口部１２は、図３及び図４に示すような形状とし、ＰＥの射出成形により作製した。
注出口部１２の肩部平坦部１５ａは円形とし、ネジ山を形成した頸部１３は、長さＬを２０ｍｍ、開口部の内径ｄを２０ｍｍとした。
また、胴部１１にシールされるシール部１６の外側の直径Ｄを８０ｍｍ、シール部１６の幅を１０ｍｍとした。
更に、図１に示すように、上記注出口部１２のネジ山に適合するように、常法に従って、ＰＥの射出成形により、キャップ１７を作製した。又、公知技術により、キャップ１７の内部に挿入できるように、厚さ０．５ｍｍのＰＥシートから打ち抜きによりパッキン１８を作製した。
【００２１】
詰め替え容器２は、先ず、胴部１１の上部に注出口部１２のシール部１６をヒートシールし、その後胴部下部の角形部分をヒートシールして作製した。
次に、上記容器２にシャンプー５００ｍｌを充填し、パッキン１８を入れたキャップ１７をネジ締めして、図２に示すような詰め替え容器２とした。
【００２２】
上記シャンプーの入った詰め替え容器を用いて、前記液体注出容器への詰め替えは以下のような方法で行った。
先ず、内容物が消費されて無くなった液体注出器は、図１に示すように、注出容器３と容器２のネジを弛めて、注出器３を容器２から取り外し、空になった容器２は廃棄した。
また、詰め替え容器２のキャップ１７を取り外し、開放状態になった容器２の頸部１３に、注出器３の吸い上げ管６を差し込んで、容器２と注出器３をセットにし、更に容器２と注出器３をネジ締めして内容物を密封した。
【００２３】
以上のように、詰め替え容器２と注出器３を一体化した液体注出容器１は、注出器の押し下げヘッド７を押すことにより、一定量の内容物が排出された。
従って、内容物の詰め替えは、詰め替え容器に、空になった液体注出容器１から注出器３を移し替えるだけで簡単に行うことができるので、詰め替え作業は、手を汚すこともなく、又内容物をこぼすことなく、極めて簡単に行うことができた。
【００２４】
【発明の効果】
本発明は、以上説明したように、液体注出容器の詰め替え容器としてカートリッジ式の容器を使用したため、シャンプーや濃厚液体洗剤等のような粘稠な内容物でも、詰め替え時に、外にもらすことなく、又、手を汚すことなく、内容物の詰め替えを極めて簡単に行うことができる。
また、本発明の詰め替え容器は、胴部には紙を主体とした積層材を使用し、プラスチックは注出口部だけにとどめ、容器としてプラスチックの非常に少ない材質構成となっているので、プラスチック製容器に比べて廃棄物公害の問題も少なく、易廃棄性容器として使用することができる。
従って、大きな社会問題となっている使い捨て容器による廃棄物公害の問題解決に役立てることができる。
【図面の簡単な説明】
【図１】本発明の詰め替え容器を用いて、液体注出容器を組み立てるときの説明図である。
【図２】液体注出容器及びそれに使用する詰め替え容器の斜視図である。
【図３】液体注出容器の容器及び注出器の主要部を示す断面図である。
【図４】詰め替え容器の注出口部の形状を示した模式断面図である。
【符号の説明】
１  液体注出容器
２  詰め替え容器（容器）
３  注出器
４  注出器肩部
５  注出器ネジ
６  吸い上げ管
７  押し下げヘッド
８  スカート部
１１  容器胴部
１２  注出口部
１３  頸部
１４  容器ネジ
１５  容器肩部
１５ａ  肩部平坦部
１６  シール部
１７  キャップ
１８  パッキン
ｄ  開口部の内径
Ｄ  シール部外径
Ｌ  頸部の長さ
【図１】
0003841879.tif 000002
【図２】
0003841879.tif 000003
【図３】
0003841879.tif 000004
【図４】
0003841879.tif 000005